(57)【要約】      （修正有）【課題】戸建て住宅の給水・給湯配管施工を円滑・安全に行い得る工法を提供する。【解決手段】建物の床張り前に通水用管２を基礎面上に敷設し、施工途中の建物の所定位置にガイド短管３を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし（５）、前記ガイド短管上端と通水用管との間を仮固定し（６）、通水用管が摺動可能な緩衝材スペーサ７を前記ガイド短管の下端側に取付け、次いで床張り１４を行い床１４に前記ガイド短管を貫通させ、而るのち前記ガイド短管上端と通水用管との間の仮固定６を解除したうえで通水用管を所定長さだけガイド短管から引出し、所定の位置に設置した機器８と通水用管２とを接続する。【選択図】図１−６
2004308322.tif 000002
【特許請求の範囲】
【請求項１】
建物の床張り前に通水用管を基礎面上に敷設し、施工途中の建物の所定位置にガイド短管を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし、前記ガイド短管上端と通水用管との間を仮固定し、通水用管が摺動可能な緩衝材スペーサを前記ガイド短管の下端側に取付け、次いで床張りを行い床に前記ガイド短管を貫通させ、而るのち、前記ガイド短管上端と通水用管との間の仮固定を解除したうえで通水用管を所定長さだけガイド短管から引出し、所定の位置に設置した機器と通水用管とを接続することを特徴とする配管施工法。
【請求項２】
施工中の建物の基礎面上に通水用管を敷設し、更に床張りを行い、而るのち、床を部分的に取外したうえで施工途中の建物の所定位置にガイド短管を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし、前記ガイド短管上端と通水用管との間を仮固定し、通水用管が摺動可能な緩衝材スペーサを前記ガイド短管の下端側に取付け、次いで前記取外した床部分の再床張りを行い前記ガイド短管を再張設床部分に貫通させ、而るのち前記ガイド短管上端と通水用管との間の仮固定を解除したうえで通水用管を所定長さだけガイド短管から引出し、所定の位置に設置した機器と通水用管とを接続することを特徴とする配管施工法。
【請求項３】
緩衝材スペーサとして縦割り発泡プラスチックチューブを使用することを特徴とする請求項１または２記載の配管施工方法。
【請求項４】
発泡プラスチックチューブの内面に滑剤を塗布することを特徴とする請求項３記載の配管施工法。
【発明の詳細な説明】
【０００１】
【発明の属する技術分野】
本発明は配管施工法に関し、低層住宅における給水・給湯用管の床立上げの円滑化・安全性の向上に有用なものである。
【０００２】
【従来の技術】
戸建て住宅における給水・給湯配管は、建築施工の進行とリンクさせつつ施工する必要があり、次のようにして行われている。
（１）土間コンクリートを打設したのち建物の棟上げを行うまでの間に、ヘッダー設置予定箇所から住設機器設置予定箇所にわたり土間コンクリート上に給水・給湯用管を敷設する。（２）更に、床張り工程までに、図３に示すようにガイド短管３’を機器設置予定位置の下方においてコンクリート基礎上の土台１２’に支持部材３１’で固定支持し、ガイド短管３’に前記給水・給湯用管２’の片端側を立ち上げて挿通し、給水・給湯用管をガイド短管下端から所定の距離を隔てた位置ｐ’において土間コンクリートに固定してその固定点ｐ’からガイド短管３’までの給水・給湯用管部分５’を管の弾性反力に抗して撓み取りし、ガイド短管上端と給水・給湯用管との間を養生テープ６’で仮固定し、（３）更に床張りを行い床にガイド短管を貫通させ、（４）更に機器を所定の位置に設置し、給水・給湯用管とガイド短管上端との間の仮固定を解除し、給水・給湯用管をガイド短管から所定の長さだけ引出して前記機器に接続している。而して、漏水対策上、接合箇所を機器側の１ヵ所とヘッダー側の１ヵ所にとどめ得る。
【０００３】
前記給水・給湯用管の撓み取りは、前記（４）での給水・給湯用管の引出しや将来の修理時に必要な管引出し長さを蓄積させるために行われる。
【０００４】
前記ガイド短管下端側の撓み取りした給水・給湯用管には、図４に示すように前記撓み反力としての曲げ反力Ｍ’と軸方向圧縮反力Ｆ’とが作用し、曲げ反力Ｍ’のためにガイド短管下端内周に給水・給湯用管２’が接触している。この接触箇所での給水・給湯用管の撓み角βが曲げ反力Ｍ’が大きくなるほど大きくなってその接触箇所での管の傾斜が大きくなり、しかも軸方向圧縮反力Ｆ’が重畳して作用するために、断熱層のような被覆層を有する被覆樹脂管を給水・給湯用管として使用する場合、前記（４）においてガイド短管上端から管を引出す際、被覆層表面が損傷され易く、漏水事故の原因となる畏れがある。
【０００５】
本発明の目的は、建物の床張り前に通水用管を基礎面上に敷設し、施工途中の建物の所定位置にガイド短管を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし、前記ガイド短管上端と通水用管との間を仮固定し、次いで床張りを行い床に前記ガイド短管を貫通させ、而るのち前記ガイド短管上端と通水用管との間の仮固定を解除したうえで通水用管を所定長さだけガイド短管から引出し、所定の位置に設置した機器と通水用管とを接続する配管施工を円滑・安全に行い得る工法を提供することにある。
【０００６】
【課題を解決するための手段】
本願の請求項１に係る配管施工法は、建物の床張り前に通水用管を基礎面上に敷設し、施工途中の建物の所定位置にガイド短管を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし、前記ガイド短管上端と通水用管との間を仮固定し、通水用管が摺動可能な緩衝材スペーサを前記ガイド短管の下端側に取付け、次いで床張りを行い床に前記ガイド短管を貫通させ、而るのち前記ガイド短管上端と通水用管との間の仮固定を解除したうえで通水用管を所定長さだけガイド短管から引出し、所定の位置に設置した機器と通水用管とを接続することを特徴とする。
【０００７】
本願の請求項２に係る配管施工法は、施工中の建物の基礎面上に通水用管を敷設し、更に床張りを行い、而るのち床を部分的に取外したうえで施工途中の建物の所定位置にガイド短管を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし、前記ガイド短管上端と通水用管との間を仮固定し、通水用管が摺動可能な緩衝材スペーサを前記ガイド短管の下端側に取付け、次いで前記取外した床部分の再床張りを行い前記ガイド短管を再張設床部分に貫通させ、而るのち前記ガイド短管上端と通水用管との間の仮固定を解除したうえで通水用管を所定長さだけガイド短管から引出し、所定の位置に設置した機器と通水用管とを接続することを特徴とする。
【０００８】
本願の請求項３に係る配管施工法は、請求項１または２の配管施工法において、緩衝材スペーサとして縦割り発泡プラスチックチューブを使用することを特徴とし、請求項４に係る配管施工法は、その発泡プラスチックチューブの内面に滑剤を塗布することを特徴とする。
【０００９】
【発明の実施の形態】
以下、図面を参照しつつ本発明の実施の形態について説明する。
図１−１〜図１−８は本発明に係る配管施工法の一実施例を工程順で示している。
図１−１において、建物は棟上げ直後の状態であり、１１は土間コンクリートを、１２はコンクリート基礎上に固定した土台を、１３は柱・はり等の骨組みを示し、床や壁はまだ張設されていない。１４は後日に張設する床を、１５は同じく壁を仮想的に示している。
２は給水・給湯用管であり、ヘッダー設置予定位置から住設機器設置予定位置にわたり土間コンクリートの基礎面１１０上に敷設してある。この給水・給湯用管には、架橋ポリエチレン管や塩化ビニル樹脂管等の樹脂管に保温層等の保護層を被覆した被覆可撓樹脂管を使用することができる。
請求項１に係る配管施工法を実施するには、まず図１−１に示すように、ガイド短管３を縦向きにて機器設置予定位置の下方で、かつ後日張設する床を貫通させ得る位置に支持部材３１により取付ける。
前記ガイド短管３には充分な機械的強度を有するプラスチック短管、例えば硬質塩化ビニル樹脂短管を用いることができる。このガイド短管の内径は給水・給湯用管２を摺動可能に挿通し得るように給水・給湯用管外径よりもやや大きくしてある。例えば、５〜１０ｍｍ程度大きくしてある。また、ガイド短管３の長さは例えば１００〜２００ｍｍとし、ガイド短管上端と床面レベルとの距離を、例えば４０〜６０ｍｍとしてある。
前記支持部材３１には、土台１２に釘付けされるＴ字脚（長さ４０〜６０ｍｍ程度）とガイド短管３を抱持するバンド部（内面ゴム貼り）とからなるものを使用することができる。壁ふかしの場合、Ｔ字脚の長さで配管芯を調整する。
【００１０】
上記のようにガイド短管３を施工中建物の所定位置に取付けたのちは、図１−２に示すように給水・給湯用管２の片端側を立ち上げてガイド短管３に挿通しガイド短管上端から所定長さａだけ引出し、ガイド短管下端から平面的に距離ｂを隔てた位置で給水・給湯用管２を留止部材４１、例えばサドルバンドで固定し、而るのち、図１−３に示すように引出し給水・給湯用管の引出し長さをｃとするように（ｂ＞ｃ）管を押し戻してガイド短管下端３０１と前記留止点４１との間で給水・給湯用管２を蛇行させて撓み取りし（符号５で示している）、この状態でガイド短管上端３０２と給水・給湯用管２との間をテープ等６で仮固定する。
この場合、撓み取り５により４００〜５００ｍｍの余尺を蓄積させ、かつ撓み深さｄを３００〜４５０ｍｍとするように、前記の寸法ａ、ｂ、ｃを設定する。たとえば、ａ＝５００ｍｍ、ｂ＝１０００ｍｍ、ｃ＝１００ｍｍとすることができる。
【００１１】
上記のようにして給水・給湯用管の片端側を立ち上げたのちは、図１−４の右図に示すようにガイド短管下端部内面と給水・給湯用管との間に緩衝材スペーサ７を、該スペーサ７と管２との間を摺動可能にして装着固定する。例えば、図１−４の左図に示すように長さ２００ｍｍ程度の縦割れ発泡プラスチックチューブ、例えば縦割れ発泡架橋ポリエチレンチューブまたは発泡ポリプロピレンチューブを内面に滑剤を塗布したうえで給水・給湯用管２に抱合し、その抱合チューブの先端部乃至は前半部をガイド短管３内に挿入し、ガイド短管下端部上から抱合チューブ上にテープ７１を巻き付けて抱合チューブを固定することができる。この滑剤には環境衛生上、人体に無害なものが使用される〔例えば、積水化学工業社製水道管用滑剤エスロンＮｏ２や市販の台所用中性洗剤等〕。
【００１２】
このように緩衝材スペーサを装着固定したのちは、図１−５に示すように床下断熱材１４１、床パネル１４２及び床仕上げ材１４３を張設して床張りを行い、床パネルの通し孔（孔径５０ｍｍ程度）とガイド短管との隙間にコーキング１４４を詰めて隙間処理を行う。また、壁パネル１５の張設も行う。
【００１３】
更に、図１−６に示すように住設機器８を設置するまえに、機器の継手一体型止水栓の取付け高さを測定して壁パネル１５に下地材１５１を貼り付け（住設機器側に下地材が設けられている場合は、不要）、ガイド短管上端と給水・給湯用管との間の仮固定（図１−５の符号６）を解除したうえで給水・給湯用管上端を前記継手一体型止水栓の設置位置（下地材１５１の中央位置）よりもやや上方に（例えばｅ＝５０ｍｍ程度上方に）位置させるように給水・給湯用管２を引上げ、更に給水・給湯用管にテープ８１を巻き付けて隙間補修スペーサを取付け、次いで図１−７に示すように給水・給湯用管２を前記引き上げた長さｅ（５０ｍｍ程度）だけ押し下げて前記隙間補修スペーサ８１をガイド短管上端と給水・給湯用管との間の間隙に挿入する。
【００１４】
而るのち、図１−８に示すように機器８を設置し、機器の継手一体型止水栓８０の下端のアダプター８０１と給水・給湯用管２とを接続し、機器の点検口と給水・給湯用管との間に化粧プレート８０２を装着する。この場合、機器の継手一体型止水栓下端のアダプター８０１と給水・給湯用管２との接続を完了したとき、通常、給水・給湯用管がやや押し戻されて隙間補修スペーサ８１（図１−７参照）がガイド短管上端部内に完全に潜入され、スペーサ上に空所が形成される。この空所をコーキングで充填し、これにて配管施工を終了する。
【００１５】
請求項２に係る配管施工法を実施するには、床張り前の施工中建物の土間コンクリート上に給水・給湯用管を敷設したのち、床張りが行われる。この給水・給湯用管の敷設は、建物の棟上げまえの適時に行われる。
その後、配管施工者の施工スケジュールに基づく所定の時期に、給水・給湯用管の片端側の立ち上げ予定箇所を墨出し、その部分の床下断熱材、床パネル等を取外したうえで、前記図１−１〜図１−４に示した作業を行い、図１−４での緩衝材スペーサ７の装着固定を終了したのち、前記した床取外し部分に床下断熱材、床パネル及び床仕上げ材をガイド短管挿通用孔を穿孔のうえ配設し、床パネル本締めを行って図１−５に示す状態とし、而るのち、図１−６〜図１−８に示す作業を順次に行って配管施工を終了する。
【００１６】
上記請求項１または２に係る配管施工において、ガイド短管下端部内の緩衝材スペーサと給水・給湯用管とが接触され、この場合、図２に示すようにガイド短管下端側の給水・給湯用管の撓み取りのために管の弾性に基づく基づく曲げ反力Ｍと管軸方向圧縮反力Ｆとが作用し、その曲げ反力Ｍのために上記接触が管２のある撓み角αで行われ、かつその接触部２７が管軸方向圧縮反力Ｆで圧縮されるが、緩衝材スペーサ７の反力吸収作用のために前記接触箇所２７での撓み角αが緩和され、かつ接触箇所２７の面圧が緩和され、図１−６において給水・給湯用管２をガイド短管３から引出す際、前記接触部２７での管２のひっかかりをよく軽減でき、給水・給湯用管２に被覆可撓管を使用しても、給水・給湯用管の引出しを被覆層の損傷なくスムーズに行うことができる。
【００１７】
特に、緩衝材スペーサの内面に滑剤を塗布する実施形態では、給水・給湯用管の前記引出時の前記接触箇所２７での摩擦力を低減でき、給水・給湯用管の引出し作業の一層のスムーズ化、一層の被覆層の安全化を図ることができる。
【００１８】
なお、上記実施例は、ヘッダーから住設機器への給水・給湯配管についての施工法であるが、本発明は洗面台や台所流台の排水パンから住宅外排水出口に至る排水配管の施工にも適用可能である。
【００１９】
【発明の効果】
本発明に係る配管施工法によれば、建物の床張り前に通水用管を基礎面上に敷設し、施工途中の建物の所定位置にガイド短管を縦向きで固定支持し、このガイド短管に前記敷設管の片端部側を立ち上げて挿通し、該ガイド短管とこのガイド短管から所定距離を隔てた基礎面箇所との間で前記通水用管を弾性反力に抗し撓み取りし、前記ガイド短管上端と通水用管との間を仮固定し、次いで床張りを行い床に前記ガイド短管を貫通させ、而るのち前記ガイド短管上端と通水用管との間の仮固定を解除したうえで通水用管を所定長さだけガイド短管から引出し、所定の位置に設置した機器と通水用管とを接続する場合、通水用管の撓み取りに基づく曲げ反力や管軸方向圧縮反力のために生じるガイド短管下端での通水用管のひっかかりを緩衝材スペーサの反力吸収作用により軽度にとどめ得、通水用管に被覆可撓管を使用しても被覆層の損傷をよく防止できる。
【００２０】
特に請求項２によれば、建築工程と配管工程とのスケジュールを完全整合できず通水用管の片端側の立ち上げまえに床張りを行なわざるを得ない場合でも、上記の利点を得ることができる。
【００２１】
特に請求項３によれば、緩衝材スペーサの装着を容易に行うことができ施工の良好な作業性を保証でき、更に請求項４によれば、ガイド短管と住設機器との接続時でのガイド短管管からの通水用管の引出しを小さい力で行うことができ一層の作業の容易化を図ることができる。
【図面の簡単な説明】
【図１−１】請求項１に係る実施例を第１段階から第８段階に分けて説明するにあたっての第１段階を示す図面である。
【図１−２】前記請求項１に係る実施例を第２段階を示す図面である。
【図１−３】前記請求項１に係る実施例を第３段階を示す図面である。
【図１−４】前記請求項１に係る実施例を第４段階を示す図面である。
【図１−５】前記請求項１に係る実施例を第５段階を示す図面である。
【図１−６】前記請求項１に係る実施例を第６段階を示す図面である。
【図１−７】前記請求項１に係る実施例を第７段階を示す図面である。
【図１−８】前記請求項１に係る実施例を第８段階を示す図面である。
【図２】前記請求項１に係る実施例でのガイド短管下端と通水用管との接触状態を示す図面である。
【図３】従来の配管施工法を示すのに使用した図面である。
【図４】従来の配管施工法でのガイド短管下端と通水用管との接触状態を示す図面である。
【符号の説明】
２          通水用管
３          ガイド短管
１１０      基礎面
１４        床張り
１４１      床下断熱材
１４２      床パネル
１４３      床仕上げ材
３１        支持部材
４１        通水用管留止部材
６          仮固定用テープ
７          緩衝材スペーサ
８          機器
８０        継手一体型止水栓
【図１−１】
2004308322.tif 000003
【図１−２】
2004308322.tif 000004
【図１−３】
2004308322.tif 000005
【図１−４】
2004308322.tif 000006
【図１−５】
2004308322.tif 000007
【図１−６】
2004308322.tif 000008
【図１−７】
2004308322.tif 000009
【図１−８】
2004308322.tif 000010
【図２】
2004308322.tif 000011
【図３】
2004308322.tif 000012
【図４】
2004308322.tif 000013